(57)【要約】【課題】一つのコンセントボックス本体に、複数のコンセントユニットを、左右位置や数量等を容易に変更しうるように取付けることができる、安価なコンセントボックスを提供する。【解決手段】コンセントホルダ５に、電源用コンセント６、ネットワーク通信用の情報コンセント７、パソコン周辺機器接続用の機器接続用コンセント８、映像用コンセント２７等の少なくともいずれか一つを取付けて形成された複数のコンセントユニット３を、各コンセントユニット３の前端部の上下寸法とほぼ等しくなるように、前面を左右方向に長く開口したコンセントボックス本体２内に、左右位置を変更可能として収容する。【選択図】  図１
2010160902.tif 000002
【特許請求の範囲】
【請求項１】
什器の天板等に取付けて使用されるコンセントボックスであって、
コンセントホルダに、電源用コンセント、ネットワーク通信用の情報コンセント、パソコン周辺機器接続用の機器接続用コンセント、映像用コンセント等の少なくともいずれか一つを取付けて形成された、上下寸法の等しい複数のコンセントユニットを、各コンセントユニットの前端部の上下寸法とほぼ等しくなるように、前面を左右方向に長く開口したコンセントボックス本体内に、左右位置を変更可能として収容したことを特徴とするコンセントボックス。
【請求項２】
コンセントボックス本体は、前端部の対向面間に開口が形成されるようにして固定される上面板と底面板とを備え、これら上面板と底面板とにより、各コンセントユニットを挟持してなる請求項１記載のコンセントボックス。
【請求項３】
上面板と底面板の前端部の対向面と、コンセントホルダにおける前面板の上下両端とのいずれか一方に、左右方向を向く凹溝を、かつ他方に、前記凹溝に嵌合される嵌合片を、それぞれ設けてなる請求項２記載のコンセントボックス。
【請求項４】
互いに隣接するコンセントホルダにおける前面板の対向面のいずれか一方に、上下方向を向く凹溝を、かつ他方に、前記凹溝に嵌合される嵌合片を、それぞれ設けてなる請求項１〜３のいずれかに記載のコンセントボックス。
【請求項５】
各コンセントホルダの左右寸法を等しくし、上面板と底面板との対向面の少なくともいずれか一方に、前記コンセントホルダを左右方向に位置決めする前後方向の突条を、左右方向に等間隔おきに設けてなる請求項２〜４のいずれかに記載のコンセントボックス。
【発明の詳細な説明】
【技術分野】
【０００１】
本発明は、例えば机やテーブル等の什器の天板に取付けて使用され、ＯＡ機器等の各種ケーブルを集合して接続するためのコンセントボックスに関する。
【背景技術】
【０００２】
この種のコンセントボックスの中には、電源用コンセント、パソコンによるネットワーク通信用の情報コンセント、及びディスプレイ接続用の映像用コンセントなどを取付けたものがある(例えば特許文献１、２参照)。
【特許文献１】特開２００８−８４５５８号公報
【特許文献２】特開２００４−２２９９４５号公報
【発明の開示】
【発明が解決しようとする課題】
【０００３】
上記特許文献１に記載されているコンセントボックスにおいては、コンセントボックス本体に、電源用コンセント、情報コンセント及び映像用コンセントを取付けるための専用の取付口を設け、これらの取付口に、これに適合する形状とされた各コンセントを、ねじにより取り付けているので、各コンセントの位置や種類、数量などが限定的となり、机等の天板に載置されたＯＡ機器などの使用位置や種類等が制限されるだけでなく、ＯＡ機器等のケーブルを各コンセントに接続して配線する際の配線形態の自由度も制限される。
また、この問題に対処するためには、取付口の形状や位置を異ならせた別のコンセントボックス本体と交換する必要があり、このようにすると、コンセントボックス本体を複数用意しておかなければならないので、コスト高となる。
【０００４】
特許文献２に記載のコンセントボックス(ホルダ)は、コンセントボックス本体に着脱可能に取付けたカバー部材に、電源用コンセントや情報コンセントを取付ける取付口を設け、各コンセントの位置や種類を変更したいときには、取付口の形状や配置の異なる別のカバー部材に交換しうるようにしているので、上記特許文献１のように、コンセントボックス本体を交換する必要がない。
しかし、複数のカバー部材を製作して用意する必要があるので、コスト的に不利であり、また、カバー部材をコンセントボックス本体より着脱して交換したり、カバー部材に各コンセントを付け替えたりする作業が繁雑となる。
【０００５】
本発明は、上記問題点に鑑みてなされたもので、一つのコンセントボックス本体に、各種のコンセントユニットを、左右位置や数量等を容易に変更しうるように取付けることができる、安価なコンセントボックスを提供することを目的としている。
【課題を解決するための手段】
【０００６】
本発明によると、上記課題は、次の各項のようにして解決される。
（１）什器の天板等に取付けて使用されるコンセントボックスであって、コンセントホルダに、電源用コンセント、ネットワーク通信用の情報コンセント、パソコン周辺機器接続用の機器接続用コンセント、映像用コンセント等の少なくともいずれか一つを取付けて形成された、上下寸法の等しい複数のコンセントユニットを、各コンセントユニットの上下寸法とほぼ等しくなるように、前面を左右方向に長く開口したコンセントボックス本体内に、左右位置を変更可能として収容する。
【０００７】
このような構成とすると、各種のコンセントユニットを、一つのコンセントボックス本体に、左右位置や数量等を容易に変更しうるように取り付けうるので、コンセントボックス本体を複数用意する必要はなく、安価なコンセントボックスを提供しうる。
【０００８】
（２）上記(１)項において、コンセントボックス本体は、前端部の対向面間に開口が形成されるようにして固定される上面板と底面板とを備え、これら上面板と底面板とにより、各コンセントユニットを挟持する。
【０００９】
このような構成とすると、複数のコンセントユニットの左右位置や数量等の変更作業が容易となる。
【００１０】
（３）上記(２)項において、上面板と底面板の前端部の対向面と、コンセントホルダにおける前面板の上下両端とのいずれか一方に、左右方向を向く凹溝を、かつ他方に、前記凹溝に嵌合される嵌合片を、それぞれ設ける。
【００１１】
このような構成とすると、複数のコンセントユニットを、コンセントボックス本体内に、ねじ等の固定手段を用いることなく、前後方向に容易に位置決めして収容することができる。
【００１２】
（４）上記(１)〜(３)項のいずれかにおいて、互いに隣接するコンセントホルダにおける前面板の対向面のいずれか一方に、上下方向を向く凹溝を、かつ他方に、前記凹溝に嵌合される嵌合片を、それぞれ設ける。
【００１３】
このような構成とすると、互いに隣接するコンセントユニットの対向面間に隙間が形成されたり、隣接するコンセントユニット同士が前後方向に位置ずれしたりすることがなく、かつ隣接するコンセントユニットの前面を同一面に整合させることができる。
【００１４】
（５）上記(２)〜(４)項のいずれかにおいて、各コンセントホルダの左右寸法を等しくし、上面板と底面板との対向面の少なくともいずれか一方に、前記コンセントホルダを左右方向に位置決めする前後方向の突条を、左右方向に等間隔おきに設ける。
【００１５】
このような構成とすると、複数のコンセントユニットが左右方向に位置ずれする恐れはなく、かつ左右配置や数量の変更作業も容易となる。
【発明の効果】
【００１６】
本発明によれば、各種のコンセントユニットを、一つのコンセントボックス本体に、左右位置や数量等を容易に変更しうるように取り付けうるので、コンセントボックス本体を複数用意する必要はなく、安価なコンセントボックスを提供しうる。
【発明を実施するための最良の形態】
【００１７】
以下、本発明の実施形態を、図面に基づいて説明する。
図１は、本発明のコンセントボックスＡを机等の天板１に取付けた状態を、斜め前方より見た斜視図、図２は、同じく斜め後方より見た斜視図、図３は、コンセントボックスＡ、及びこれを天板１に取り付けるための取付装置Ｂの分解斜視図である。
【００１８】
コンセントボックスＡは、前面を左右方向に長く開口したコンセントボックス本体２と、この中に収容された複数(実施形態では６個)のコンセントユニット３と、互いに隣り合うコンセントユニット３の間において開口を閉塞する複数の塞ぎ板４とを備えている。
【００１９】
各コンセントユニット３は、左右複数(６個)のコンセントホルダ５のそれぞれに、電源用コンセント６、ネットワーク通信用の情報コンセント７、及びパソコン周辺機器等を接続する機器接続用コンセント８を取付けたものよりなり(図３は、各コンセントを省略して示す)、電源用のコンセントユニット３のみが、塞ぎ板４を挟んで左右２個ずつ設けられている。なお、情報コンセント７には、例えばＬＡＮ用コネクタ等が、また、機器接続用コンセント７には、ＵＳＢコネクタ等が、それぞれ用いられる。
【００２０】
各コンセントホルダ５は、それぞれ、電源用コンセント６、情報コンセント７、及び機器接続用コンセント８を保持する、それに適した形状の保持部５aと、その前端に連設された方形の前面板５bとからなり、各コンセントホルダ５の保持部５aと前面板５bの上下寸法と左右寸法は、等しく設定されている。各コンセント６、７、８の前端部は、前面板５bの中央部に穿設された大きさの異なる嵌合孔９に、互いの前面が同一面に整合するように嵌合されている
【００２１】
縦断側面図である図４及び図５にも示すように、コンセントボックス本体２は、後端縁に下向片１０aを有する合成樹脂製の上面板１０と、この上面板１０と同じ大きさの、後端縁に上向片１１aを有する合成樹脂製の底面板１１と、前端が若干内向きに折曲された合成樹脂製の左右の側面板１２、１２とからなっている。
【００２２】
上面板１０の下面の前後部には、下向片１０aの長さとほぼ等しい突出寸法の下向突部１３が、左右方向に等間隔おきに複数突設され、また、底面板１１の上面における上記各下向突部１３と対向する位置には、上向片１１aの長さとほぼ等しい長さの上向突部１４が突設されている。各下向突部１３には、後記する止めねじ２４を螺挿するための下方に開口する螺挿孔１５が、また各上向突部１４には、同じく止めねじ２４を下方より挿入可能な挿入孔１６が、それぞれ設けられている。
【００２３】
上面板１０の周縁部の下面と下向片１０aの両側縁部の前面、及び底面板１１の周縁部の上面と上向片１１aの両側縁部の前面には、それぞれ凹溝１７、１７が連続して形成されている。
また、底面板１１の上面には、上記各コンセントホルダ５における保持部５aを、左右方向に位置決めして載置するための前後方向を向く複数の突条１８が、左右方向に等間隔をもって突設されている(図３参照)。なお、この突条１８を、上面板１０側の下面に設けてもよく、また、上面板１０と底面板１１との両方に設けてもよい。
【００２４】
塞ぎ板４、各コンセントホルダ５における前面板５bの上下両端、及び左右の側面板１２の上下両端と後端には、それぞれ、上面板１０と底面板１１の凹溝１７、１７に嵌合可能な嵌合片１９が突設されている。
また、各コンセントホルダ５における嵌合片１９より前方の前面板５bの上下両端には、左右方向を向く凹溝２０、２０が形成され、この両凹溝２０、２０には、各コンセント５、６、７の不使用時において、その前面を覆うカバー２１の上下両端のＬ字状の対向片２１a、２１aが、左右方向にスライド可能に嵌合されるようになっている。
【００２５】
さらに、図６の横断平面図に示すように、塞ぎ板４の両側端と、各コンセントホルダ５における前面板５bの両側端とには、それぞれ、互いに嵌合し合う上下方向を向く凹溝２２と嵌合片２３とが設けられている。
【００２６】
次に、コンセントボックスＡの組立て要領について説明する。
まず、複数のコンセントユニット３におけるコンセントホルダ５の保持部５aを、底面板１１の上面に設けた左右複数の突条１８、１８間に位置させ、各コンセントユニット３を、左右方向に位置決めして底面板１１の上面に載置する。
【００２７】
ついで、底面板１１に、上面板１０を、それらの周縁部に形成した凹溝１７、１７に、塞ぎ板４、各コンセントホルダ５の前面板５b、及び左右の側面板１２、１２の上下両端に設けた嵌合片１９、１９を嵌合するようにして被せ、上面板１０と底面板１１とにより、塞ぎ材４とコンセントユニット３と側面板１２とを仮挟持する。この際、互いに隣接する塞ぎ板４と各コンセントホルダ５の前面板５bとの対向面の凹溝２２と嵌合片２３同士を、側方より嵌合することにより、それらの対向面間に隙間が形成されたり、前後に位置ずれしたりするのを防止することができ、かつ塞ぎ板４の前面と、各コンセントホルダ５における前面板５bの前面とを、同一面に整合させることができる。
【００２８】
ついで、底面板１１の複数の上向突部１４の挿入孔１６に挿入した止めねじ２４を、上面板１０における各下向突部１３の螺挿孔１５にねじ込む。これにより、上面板１０と底面板１１により、各コンセントユニット３が強固に挟持されたコンセントボックスＡが組立てられる。なお、図２に示すように、各コンセントユニット３の接続ケーブル２５は、上面板１０の下向片１０aと、底面板１１の上向片１１aとの対向面に設けた切欠き２６を介して、外部に配線することができる。
【００２９】
上記実施形態のコンセントボックスＡにおいては、上下及び左右寸法の等しい複数のコンセントホルダ５の前面板５bに設けた嵌合孔９に、各コンセントユニット３におけるコンセント６、７、８の前端部を嵌合し、前面板５bがコンセントボックス本体２の前面の開口面に位置するようにして、各コンセントユニット３を、コンセントボックス本体２における上面板１０と底面板１１とにより挟持して取付けているので、コンセントボックス本体２に、各種のコンセントユニット３を取付けるための専用の取付口を設けたり、ねじ等の固定手段を用いたりする必要がない。
【００３０】
従って、上面板１０を取外すだけで、各コンセントユニット３の左右位置や数量を容易に変更することができ、コンセントボックスＡ自体を交換したり、各種のコンセントを別のコンセントボックス本体２に付け替えたりする必要がない。
【００３１】
また、各コンセントユニット３のコンセントホルダ５の左右寸法を等しくして、これらを、底面板１１の上面に設けた複数の突条１８、１８間に位置決めして載置しうるようにしてあるので、各コンセントユニット３が左右方向に位置ずれする恐れはなく、かつ左右位置や数量の変更も容易となる。
【００３２】
なお、上記実施形態のコンセントボックスＡでは、複数のコンセントユニット３が、電源用コンセント６と、ネットワーク通信用の情報コンセント７と、パソコン周辺機器接続用の機器接続用コンセント８とからなるものとしたが、図１の２点鎖線で示すように、例えば１５ピンコネクタ等、パソコンのディスプレイ用ケーブルを接続するための映像用コンセント２７を有するコンセントユニットを付加してもよい。
【００３３】
また、上記実施形態の各コンセントユニット３は、一つずつのコンセントホルダ５に、各種のコンセント６、７、８を取付けたものとしているが、コンセントホルダ５の左右寸法を大として、これに、上記各種のコンセント６、７、８、２７のいずれかを複数、または組み合わせて取付けたコンセントユニットとすることもある。
【００３４】
上記実施形態では、上面板１０と底面板１１との対向面に凹溝１７を設け、これに、コンセントホルダ５における前面板５bと、塞ぎ板４との上下両端に突設した嵌合片１９を嵌合させているが、これとは反対に、上面板１０と底面板１１との対向面に嵌合片を、前面板５bと塞ぎ板４の上下両端に凹条を、それぞれ設けてもよい。
【００３５】
次に、上記コンセントボックスＡの取付装置Ｂについて説明する。
図１〜図５に示すように、取付装置Ｂは、天板１の端縁部を上下より挟持する上部クランプ３０及び下部クランプ３１と、上部クランプ３０の上面に取付けられたコンセントボックスＡ支持用の支持台３２とを備えている。
【００３６】
下部クランプ３１は、側面視前向きコ字状をなす左右１対のクランプ金具３３、３３と、天板１の下面を押圧可能な、両側端部に後方に開口する上下２個の嵌合孔３４、３４を有する合成樹脂製のクランプ板３５とからなり、両クランプ金具３３における下部の前向片３３aを、下側の嵌合孔３４に嵌合することにより、下部クランプ３１が構成されている。なお、天板１の厚さが大きいときには、上側の嵌合孔３４に下部の前向片３３aを嵌合して使用される。
【００３７】
上部クランプ３０は、左右寸法が下部クランプ３１のそれよりも長寸となるように、合成樹脂により一体成形され、左右の側端部に形成された上向膨出部３６、３６の下方には、図５に示すように、左右のクランプ金具３３における上部の前向片３３bが下方より挿入される凹部３７が形成されている。
【００３８】
両上向膨出部３６の平坦をなす上面には、複数のリブ３８により補強された円筒軸３９、３９が突設され、これらの円筒軸３９に上方より挿通した左右２個の取付けねじ４０、４０を、上部の前向片３３bの先端部に穿設しためねじ孔４１に螺合させて締め込むことにより、天板１が上部クランプ３０と下部クランプ３１により挟持されるようになっている(図５参照)。
【００３９】
上部クランプ３０の中央部と上向膨出部３６より外方の両側端部は、上面に側面視円弧状断面の受け面４２、４２が形成されるように、凹曲面状に湾曲されている。上部クランプ３０の中央部には、上記中央部の受け面４２の後端部から前端部に向かって、平面視後向きコ字状のスリット４３を形成することにより、後端部を中心として上下方向に弾性変形しうる可動片４４が連設されている。この可動片４４の中央部の上面には、左右方向を向く係止突条４５が突設されている。
可動片４４の前端部は、これを下向きに押動操作しうる上向きの操作部４４aとなっている(図３、図４参照)。
【００４０】
上記左右両端部の受け面４２、４２には、側方に弾性変形可能な起立片４６、４６が立設され、これらの上端部の対向面には、短寸の突軸４７、４７が内向きに突設されている。
【００４１】
支持台３２は、上部クランプ３０の左右寸法とほぼ等寸をなし、中央部と両側端部とには、上部クランプ３０の中央部と両側端部の受け面４２、４２により受支される、下面が受け面４２とほぼ等しい曲率とされた下向きの凸曲面部４８、４８が形成されている。
【００４２】
図４に示すように、中央部の凸曲面部４８の底部には、上部クランプ３０における可動片４４の係止突条４５が選択的に係合可能な左右方向を向く前後２つの係合孔４９、４９が、互いに平行に穿設されている。
また、両側端部の凸曲面部４８の下面には、図３に示すように、上部クランプ３０の起立片４６が挿通可能な、この起立片４６の下部の前後寸法よりも大きい前後寸法の挿通孔５０(左方のものは図示略)が穿設されている。
【００４３】
図３及び図４に示すように、上記左右の挿通孔５０と近接する支持台３２の両側部の上面には、前後方向を向く突片５１、５１が突設され、両突片５１の上端の前後方向を向く中央部には、上記左右の起立片４６の突軸４７が嵌合する半円状の係止溝５２、５２が設けられている。
【００４４】
上部クランプ３０の各受け面４２により、支持台３２の各凸曲面部４８の下面を支持し、支持台３２の左右の挿通孔５０に挿入した起立片４６、４６の突軸４７を、支持台３２の左右の突片５１、５１の係止溝５２に嵌合することにより、上部クランプ３０と支持台３２とが連結され、かつ支持台３２は、突軸４７を中心として、受け面４２に沿って前後方向に回動することができる。
また、上部クランプ３０における可動片４４の係止突条４５を、操作部４４aを押動操作して、支持台３２に設けた前後の係合孔４９に選択的に係合させることにより、支持台３２を、その上面がほぼ水平をなす位置と、同じく前上方に向かって傾斜する傾斜位置との２位置で停止保持することができる(図４、図８参照)。
【００４５】
図３及び図５に示すように、支持台３２の前端部の両側端部には、前部側が前後方向に弾性変形可能な下向操作片５３aとなっている側面視概ね下向Ｕ字状の左右１対の嵌合突部５３、５３が、上向きに突設されている。
また、支持台３２の後端上部の中央部には、後向き倒立Ｌ字状をなす左右１対の係止片５４、５４が設けられている。５５、５５は、左右の取付けねじ４０の頭部を遊通するための通孔である。
【００４６】
支持台３２にコンセントボックスＡを取付けるには、コンセントボックス本体２における底面板１１の後端部の中央部に穿設された係止孔５６、５６に、支持台３２の左右の係止片５４、５４を嵌合して、それらの上端部を、係止孔５６の後上部の開口縁に係止させる。
【００４７】
ついで、支持台３２における前側の嵌合突部５３、５３を、底面板１１の前端部に穿設された方形をなす左右１対の取付孔５７、５７に嵌合し、下向操作片５３aの前面下部に形成された左右方向を向く係合溝５８を、取付孔５７の前部側の開口縁に弾性係合させる。これにより、支持台３２の上面に、コンセントボックスＡが着脱可能に取付けられる。なお、底面板１１には、取付けねじ４０の頭部が干渉しないように、通孔５９、５９が穿設されている。
【００４８】
コンセントボックスＡを取付けた取付装置Ｂを、天板１の後端部に固定したのち、上述したように、上部クランプ３０における可動片４４の係止突条４５を、操作部４４aを押動操作して、支持台３２に設けた前後の係合孔４９に選択的に係合させると、コンセントボックスＡを、図１に示す水平位置と、図７に示す斜め前上方を向く傾斜位置との２位置に、向きを変更することができる。
従って、各種コンセント６、７、８における差し込み口の上下位置が変更可能となり、それらに接続されるケーブルの配線形態を、天板１に載置されるＯＡ機器等の位置や大きさ、あるいは、天板１の使用状況等に対応して、最適に変更することができる。なお、支持台３２に、係合孔４９を２個以上設けてもよく、このようにすれば、コンセントボックスＡの位置を、２位置以上に変更することができる。
【図面の簡単な説明】
【００４９】
【図１】本発明のコンセントボックスを天板に取付けた状態を、斜め前方より見た斜視図である。
【図２】同じく、斜め後方より見た斜視図である。
【図３】コンセントボックス、及びその取付装置の分解斜視図である。
【図４】図１のIV-IV線拡大縦断側面図である。
【図５】図２のV-V線拡大縦断側面図である。
【図６】図１のVI-VI線拡大横断平面図である。
【図７】コンセントボックスの上下位置を変更した状態を、斜め前方より見た斜視図である。
【図８】図７のVIII-VIII線拡大縦断側面図である。
【符号の説明】
【００５０】
１  天板
２  コンセントボックス本体
３  コンセントユニット
４  塞ぎ板
５  コンセントホルダ
５a 保持部
５b 前面板
６  電源用コンセント
７  情報コンセント
８  機器接続用コンセント
９  嵌合孔
１０  上面板
１０a 下向片
１１  底面板
１１a 上向片
１２  側面板
１３  下向突部
１４  上向突部
１５  螺挿孔
１６  挿入孔
１７  凹溝
１８  突条
１９  嵌合片
２０  凹溝
２１  カバー
２１a 対向片
２２  凹溝
２３  嵌合片
２４  止めねじ
２５  接続ケーブル
２６  切欠き
２７  映像用コンセント
３０  上部クランプ
３１  下部クランプ
３２  支持台
３３  クランプ金具
３３a 前向片
３３b 前向片
３４  嵌合孔
３５  クランプ板
３６  上向膨出部
３７  凹部
３８  リブ
３９  円筒軸
４０  取付けねじ
４１  めねじ孔
４２  受け面
４３  スリット
４４  可動片
４４a 操作部
４５  係止突条
４６  起立片
４７  突軸
４８  突曲面部
４９  係合孔
５０  挿通孔
５１  突片
５２  係止溝
５３  嵌合突部
５３a 下向操作片
５４  係止片
５５  通孔
５６  係止孔
５７  取付孔
５８  係合溝
５９  通孔
Ａ  コンセントボックス
Ｂ  取付装置
【図１】
2010160902.tif 000003
【図２】
2010160902.tif 000004
【図３】
2010160902.tif 000005
【図４】
2010160902.tif 000006
【図５】
2010160902.tif 000007
【図６】
2010160902.tif 000008
【図７】
2010160902.tif 000009
【図８】
2010160902.tif 000010